(57)【要約】【課題】  ダンパー付きヒンジの組立をワンタッチで行って安価にダンパー付きヒンジを提供する。【解決手段】  略U字形の取付けブラケット２０の上下の板片２２Ｕ、２２Ｌの開口部を拡げながらアーム部材４０の枢動部５０の軸５０Ｘとダンパー６０とを収納してアーム部材４０とダンパー６０とを取付けブラケット２０に回転自在に支持する。ダンパー６０は、アーム部材４０の円形凹部６２をケースとしてその中に収納されたダンパーディスク６４から成っている。【選択図】        図７
2005188261.tif 000002
【特許請求の範囲】
【請求項１】
固定物体と前記固定物体に開閉自在に取付けられる可動物体との間に設けられるものであって、前記固定物体に取付けられるべき取付けブラケットと、前記可動物体を保持すべきものであって前記取付けブラケットに枢動自在に取付けられたアーム部材と、前記アーム部材の枢動部に設けられたダンパーとから成るダンパー付きヒンジにおいて、前記取付けブラケットは、弾性材料から作られた略Ｕ字形の形態を有し、前記アーム部材の枢動部の軸は、前記ダンパーと共に前記略Ｕ字形の取付けブラケット上下の板片の間に回転自在に支持されていることを特徴とするダンパー付きヒンジ。
【請求項２】
請求項１に記載のダンパー付きヒンジであって、前記可動物体が閉じる位置を僅かに越えた内側停止位置を越えて前記アーム部材が前記取付けブラケットに対して閉方向に移動することがないように抑制する第１のストッパ手段と前記可動物体が完全に開いた位置を僅かに越えた外側停止位置を越えて前記アーム部材が前記取付けブラケットに対して開方向に移動することがないように抑制する第２のストッパ手段とを備えていることを特徴とするダンパー付きヒンジ。
【請求項３】
請求項２に記載のダンパー付きヒンジであって、前記第１のストッパ手段は、前記アーム部材の自由端とは反対側の端面と前記取付けブラケットの上下の板片を連結する連結板片に形成されて前記アーム部材の端面が係合する切欠き端面とから成っていることを特徴とするダンパー付きヒンジ。
【請求項４】
請求項２又は３に記載のダンパー付きヒンジであって、前記第２のストッパ手段は、前記アーム部材上に設けられた突出部と前記取付けブラケットの側端面に形成されて前記突出部が係合するストッパ面とから成っていることを特徴とするダンパー付きヒンジ。
【請求項５】
請求項１乃至４のいずれかに記載のダンパー付きヒンジであって、前記ダンパーは、前記アーム部材の枢動部に形成された円形凹部と前記円形凹部に収納されたダンパーディスクとから成り、前記アーム部材の枢動部の軸は、前記ダンパーディスクから延びる軸部と前記円形凹部の底部から延びる軸部とから成っていることを特徴とするダンパー付きヒンジ。
【請求項６】
請求項５に記載のダンパー付きヒンジであって、前記ダンパーは、前記ダンパーディスクを閉じるように前記円形凹部を閉じるダンパーキャップと前記円形凹部とダンパーキャップで囲まれたダンパー空間内に収納されたダンパー液体とを含み、前記ダンパーディスクから延びる軸部は、前記ダンパーキャップを貫通していることを特徴とするダンパー付きヒンジ。
【発明の詳細な説明】
【技術分野】
【０００１】
本発明は、扉等の可動物体をケース等の固定物体の正面に位置して閉じたり固定物体の側壁に沿って移動して固定物体の側面に位置して開いたりするのに用いられるダンパー付きヒンジの改良に関するものである。
【背景技術】
【０００２】
扉等の可動物体をケース等の固定物体の正面に位置して閉じたり固定物体の側壁に沿って移動して固定物体の側面に位置して開いたりすることが種々の分野で要求されている。例えば、コンピュータ本体のインターフェース部がコンピュータ本体の正面に配置されていると、正面の見栄えが悪い上に、インターフェース部の差込孔に塵等の異物が入り易く、インターフェース部を開閉する扉を有することが要求されている（例えば、特許文献１参照）。
【０００３】
しかし、特許文献１に開示されている扉は、扉をケースの正面に対して横方向に水平移動して開閉するピニオン・ラック手段と扉の開位置で扉をケースの側壁に沿って枢動する枢動手段とを有するので、構造が複雑である上に、扉を水平移動する操作と扉を枢動する操作との２つの異なる操作を必要とし、扉を開閉する動作が複雑であった。
【０００４】
従って、扉の如き可動物体をケース等の固定物体の正面から側面に向けて連続的に変位するように回動することができるヒンジを用いることが望ましい。
【０００５】
しかし、単なるヒンジは、可動物体を固定物体に対して開閉するだけであるので、可動物体の開閉動作が急速に行われて可動物体を固定物体に衝撃的に移動したり閉位置又は開位置で可動物体が不安定な状態となるので、ヒンジにダンパーを内蔵して可動物体を抵抗を持たせて開閉するようにし、また可動物体の閉位置又は開位置で可動物体が安定した状態に維持することができるのが好ましい。
【０００６】
従来から種々の分野でダンパー付きヒンジが使用されているが、ダンパーがヒンジの可動部材の枢動部から外れて配置されていると、ダンパーを配置すべき別個の空間を必要としたりダンパーとヒンジの枢動部とを連結する機構を必要としたりするので、このダンパー付きヒンジが用いられた機器が大型化し好ましくない（例えば特許文献２及び３参照）。
【０００７】
ダンパーがヒンジの可動部材の枢動部に内蔵していると、ダンパーを配置すべき別個の空間を必要としないため、機器を全体的に小型化することができるので好ましい（例えば、特許文献４参照）。
【０００８】
しかし、従来技術のこの種のダンパー付きヒンジは、完成品であるダンパーをヒンジの枢動部のケース内に組み込んでいるので、ヒンジの枢動部へのダンパーの組み込みとこの枢動部とヒンジ部材との組立てとを別個に行う必要があって組み立てが面倒である上に、ダンパーを収容する枢動部が大型化し、ヒンジを小型化することができない欠点があった。
【０００９】
【特許文献１】特開２００２−７３２１５号公報
【特許文献２】実開昭５５−５７１６８号公報
【特許文献３】特開２００１−３３６３４７号公報
【特許文献４】特開平７−２３３６７０号公報
【発明の開示】
【発明が解決しようとする課題】
【００１０】
本発明が解決しようとする１つの課題は、ダンパーの組み込みとヒンジの組立とを同時に行って組立を容易に行うことができるダンパー付きヒンジを提供することにある。
【００１１】
本発明が解決しようとする他の課題は、ダンパーが組み込まれる枢動部を大型化することがなく、全体的に小型化することができるダンパー付きヒンジを提供することにある。
【課題を解決するための手段】
【００１２】
本発明は、固定物体とこの固定物体に開閉自在に取付けられる可動物体との間に設けられるべきダンパー付きヒンジに関するものであるが、固定物体に取付けられるべき取付けブラケットと、可動物体を保持すべきものであって取付けブラケットに枢動自在に取付けられたアーム部材と、このアーム部材の枢動部に設けられたダンパーとから成っているダンパー付きヒンジを対象としている。
【００１３】
本発明の基本的な課題解決手段は、取付けブラケットが弾性材料から作られた略Ｕ字形の形態を有し、アーム部材の枢動部の軸がダンパーと共に略Ｕ字形の取付けブラケット上下の板片の間に回転自在に支持されていることにある。
【００１４】
本発明の基本的な課題解決手段において、可動物体が閉じる位置を僅かに越えた内側停止位置を越えてアーム部材が取付けブラケットに対して閉方向に移動することがないように抑制する第１のストッパ手段と可動物体が完全に開いた位置を僅かに越えた外側停止位置を越えてアーム部材が取付けブラケットに対して開方向に移動することがないように抑制する第２のストッパ手段とを備えているのが好ましい。
【００１５】
この場合、第１のストッパ手段は、アーム部材の自由端とは反対側の端面と取付けブラケットの上下の板片を連結する連結板片に形成されてアーム部材の端面が係合する切欠き端面とから成っているものとすることができる。
【００１６】
また、第２のストッパ手段は、アーム部材上に設けられた突出部と取付けブラケットの側端面に形成されて突出部が係合するストッパ面とから成っているものとすることができる。
【００１７】
特に、ダンパーは、アーム部材の枢動部に形成された円形凹部と円形凹部に収納されたダンパーディスクとこのダンパーディスクを閉じるように円形凹部を閉じるダンパーキャップとから成り、アーム部材の枢動部の軸は、ダンパーディスクから延びる軸部と円形凹部の底部から延びる軸部とから成っているのが好ましい。
【００１８】
また、ダンパーは、ダンパーディスクを閉じるように円形凹部を閉じるダンパーキャップと円形凹部とダンパーキャップで囲まれたダンパー空間内に収納されたダンパー液体とを含み、ダンパーディスクから延びる軸部は、ダンパーキャップを貫通しているのが好ましい。
【発明の効果】
【００１９】
本発明によれば、略U字形の取付けブラケットの上下の板片の開口部を拡げながらアーム部材の枢動部の軸とダンパーとを収納してアーム部材とダンパーとを取付けブラケットに回転自在に支持することができるので、アーム部材とダンパーとをワンタッチで取付けブラケットに取付けることができ、組立が容易であり、ダンパー付きヒンジを安価に提供することができる。
【００２０】
アーム部材は、可動物体が閉じる位置を僅かに越えた内側停止位置でそれ以上閉方向に移動することがないように抑制する第１のストッパ手段と可動物体が完全に開いた位置を僅かに越えた外側停止位置でそれ以上開方向に移動することがないように抑制する第２のストッパ手段を有すると、アーム部材が過度に閉じたり開いたりすることがなく、ダンパー付きヒンジを保管、運搬する場合に破損するのを防止することができる。
【００２１】
この場合、第１及び第２のストッパ手段は、可動物体が閉じる位置を僅かに越えた内側停止位置と可動物体が完全に開いた位置を僅かに越えた外側停止位置でそれぞれアーム部材を停止するので、取付けブラケットを固定物体に取付け、アーム部材を可動物体に取付けた際に、可動物体の開閉がこのストッパ手段によって干渉されることがなく、従って可動物体が完全に開いたり、完全に閉じたりするのを妨げられることがない。
【００２２】
特に、ダンパーがアーム部材の枢動部に形成された円形凹部に収納されたダンパーディスクとから構成すると、アーム部材がダンパーのケーシングを兼ねてダンパーを一体的に組み込んでいるので、アーム部材の枢動部を小径化してダンパー付きヒンジを全体的に小型化することができる。
【００２３】
この場合、ダンパーディスクから延びる軸部と円形凹部の底部から延びる軸部とをアーム部材の枢動部の軸部とすることができるので、軸線方向の長さを短縮してダンパー付きヒンジを小型化することができる。
【００２４】
また、ダンパーがダンパーディスクを閉じるように円形凹部を閉じるダンパーキャップと円形凹部とダンパーキャップで囲まれたダンパー空間内に収納されたダンパー液体とを有する液体型ダンパーも容易に構成することができ、この場合、ダンパーディスクから延びる軸部は、ダンパーキャップを貫通することによって取付けブラケットに支持することができる。
【発明を実施するための最良の形態】
【００２５】
本発明の実施の形態を図面を参照して詳細に述べると、図１は、本発明のダンパー付きヒンジ１０の１つの使用例を示し、この使用例では、ダンパー付きヒンジ１０は、コンピュータ本体(固定物体)１のインターフェース部(図示せず)を図２乃至図４に示すように開閉する扉(可動物体)２をコンピュータ本体１に取付けるのに用いられる。
【００２６】
ダンパー付きヒンジ１０は、コンピュータ本体１のインターフェース部の隅部に位置して取付けられ、扉２は、図２の閉じた位置から後に述べる枢動部を中心にして図３に示すように回動しながら開き、最後に、コンピュータ本体１の側壁(側面)にほぼ平行になるように位置する。
【００２７】
もちろん、本発明のダンパー付きヒンジ１０は、コンピュータ本体以外の任意の固定物体に可動物体を開閉自在に取付けるのに用いることができる。
【００２８】
本発明のアンパー付きヒンジ１０は、図５乃至図７に示すように、コンピュータ本体（固定物体）１に取付けられるべき取付けブラケット２０と、扉（可動物体）２を保持すべきものであって取付けブラケット２０に枢動自在に取付けられたアーム部材４０と、このアーム部材４０の枢動部５０に設けられたダンパー６０とから成っている。取付けブラケット２０とアーム部材４０とは、任意の材料から作ることができるが、特にプラスティックから作るのが好ましい。
【００２９】
取付けブラケット２０は、弾性プラスティック材料から作られており、図５及び図７に示すように、上下の板片２２U、２２Lとこれらの上下の板片２２U、２２Lをその一端で連結する連結板片２２Cとが一体に成形された略Ｕ字形の形態を有する。
【００３０】
また、取付ブラケット２０は、上下の板片２２U、２２Lの連結板片２２Cとは反対側の端部にそれぞれ反対方向に延びる上下の取付けフランジ２４ＵＦ、２４ＬＦを一体に有し、これらの上下の取付けフランジ２４ＵＦ、２４ＬＦは、図２乃至図４に示すように、固定物体であるコンピュータ本体１の端壁１Ｗの内面にねじ止めするのに用いられる。
【００３１】
取付けブラケット２０は、上下の板片２２Ｕ、２２Ｌの連結板片２２Ｃに近い部分に後に述べるアーム部材の枢動部の軸が係入して支持される軸孔２６ＵＨ、２６ＬＨを有し、また取付けフランジ２４ＵＦ、２４ＬＦを有する側の端部から軸孔２６ＵＨ、２６ＬＨまで延びる軸案内溝２８ＵＧ、２８ＬＧを上下の板片２２Ｕ、２２Ｌの相対する内面に有する。
【００３２】
取付けブラケット２０は、図９乃至図１２に示すように、その下側の板片２２Ｌに上側の板片２２Ｕよりも側方に突出する突板部３０Ｌを有し、この突板部３０Ｌは、その内面に後の述べる弾発手段の巻きばねの一端が掛け止められるばね止めピン３２が一体に設けられている。
【００３３】
アーム部材４０は、図５乃至図７に示すように、略台形の基部４２とこの基部４２の一側から横方向に延びる細長状のアーム４４とから成っていて全体的にほぼＬ字形の形態を有する。この基部４２とアーム４４とは、特に、図９から解るように、水平壁部４２ＨＷ、４４ＨＷとその外側の側縁から下向きに一体に延びる垂直壁部４２ＶＷ、４４ＶＷとをそれぞれ有する。基部４２の垂直壁部４２ＶＷは、基部４２の外側の側縁に連続する端縁の一部まで延び、この延長部分は符号４２ＶＷＥで示されている。また、同様にして、アーム４４の垂直壁部４４ＶＷは、アーム４４の外側の側縁に連続する端縁と更に内側の側縁の一部まで略Ｌ字状に延び、このＬ字状の延長部分は、符号４４ＶＷＥで示されている。
【００３４】
アーム４４は、その先端にアーム部材４０に取付けられるべき扉(可動物体)２の位置決めピン２Ｐが係入すべき切欠孔４６Ｈを有し、この切欠孔４６Ｈは、アーム４４の水平壁部４４ＨＷと垂直壁部４４ＶＷＥとに跨って形成されているので、この切欠孔４６Ｈは、略逆Ｌ字形の形態となっている。
【００３５】
また、アーム４４は、その内側の側縁の垂直壁部延長部分４４ＶＷＥから直角に一体に延びる薄い可動物体取付け壁４４Ｅを有し、この可動物体取付け壁４４Ｅは、その小さな厚みによって垂直壁部延長部分４４ＶＷＥに対して段状にへこんでいる。更に、この可動物体取付け壁４４Ｅには金属製のねじ筒４８が一体に埋め込まれており、このねじ筒４８は、扉(可動物体)２の取付け突出部２Ｓが重合してこの扉２の突出部２Ｓとねじ筒４８とに跨って止めねじ１００がねじ込まれる。
【００３６】
従って、扉(可動物体)２は、その位置決めピン２Ｐのアーム４４の切欠孔４６Ｈへの係入と図示しない突出部２Ｓとねじ筒４８とのねじ止めとによってアーム部材４０に固定して取付けられる。
【００３７】
アーム部材４０は、図９乃至図１２に示すように、その基部４２の水平板壁４２ＨＷの下面に後に述べる弾発手段のばねの他端が掛け止められるばね止めピン４９が一体に設けられている。
【００３８】
アーム部材４０の枢動部５０は、ダンパー６０と共に取付けブラケット２０の上下の板片２２Ｕ、２２Ｌの間に回転自在に支持されている軸５０Ｘを有するが、この枢動部５０は、図６及び図７を参照して後に詳細に説明する。
【００３９】
本発明のダンパー付きヒンジ１０は、扉（可動物体）２がコンピュータ本体(固定物体)１を閉じる位置を僅かに越えた内側停止位置を越えてアーム部材４０が閉方向に更に移動することがないように抑制する第１のストッパ手段７０と扉（可動物体）２が完全に開いた位置を僅かに越えた外側停止位置を越えてでアーム部材４０が開方向に更に移動することがないように抑制する第２のストッパ手段８０とを備えている。
【００４０】
第１のストッパ手段７０は、アーム部材４０の自由端（アーム４４の先端）とは反対側の基部４２の端壁の内側端面７２（図７及び図９乃至図１２参照）と取付けブラケット１２の連結板片２２Ｃに形成されてアーム部材４０の端面７２が係合する切欠き端面７４(図９乃至図１２参照)とから成っている。
【００４１】
また、第２のストッパ手段８０は、図９乃至図１２、特に図１２に示すように、アーム部材４０の基部４２上に設けられた突出部８２と取付けブラケット２０の上方の板片２２Ｕの側端面であって突出部８２が係合するストッパ面８４とから成っている。
【００４２】
第１のストッパ手段７０が働いている状態が図９に示され、また第２のストッパ手段８０が働く直前の状態（扉が完全に開いた状態）が図１２に示されている。図９の状態では、アーム部材４０は、扉(可動物体)２が完全に閉じた図２の位置よりも扉閉じ方向に変位しており、これは、扉（可動物体）２がコンピュータ本体(固定物体)１を閉じる位置を僅かに越えた内側停止位置であり、また図１２の状態では、アーム部材４０は、扉（可動物体）２が完全に開いた位置に相応する位置にあり、際２のストッパ手段８０は、アーム部材４０をこれよりも僅かに扉の開方向に変位するように働き、これは、扉（可動物体）２がコンピュータ本体（’固定物体）１を完全に開いた位置を僅かに越えた外側停止位置である。
【００４３】
このように、アーム部材４０が第１及び第２のストッパ手段７０、８０によって扉（可動物体）２の完全閉位置及び完全開位置を僅かに越えた内外の停止位置でそれ以上移動することがないようにすると、後に述べる弾発手段によってアーム部材４０が閉方向及び開方向に付勢されていても過度に閉方向及び開方向に変位することがなく、ダンパー付きヒンジ１０を所定の組立状態に維持することができる。
【００４４】
また、このように、第１及び第２のストッパ手段７０、８０は、扉（可動物体）２が完全閉位置を僅かに越えた内側停止位置と扉（可動物体）２が完全開位置を僅かに越えた外側停止位置でそれぞれアーム部材４０を停止するようにすると、取付けブラケット２０をコンピュータ本体（固定物体）１に取付け、アーム部材４０を扉（可動物体）２に取付けた際に、扉（可動物体）２の開閉がこれらのストッパ手段７０、８０によって不完全にされることがなく、従って扉（可動物体）２が完全に開いたり、完全に閉じたりするのを妨げられることがないので有利である。
【００４５】
ダンパー６０は、アーム部材４０の枢動部５０に形成された円形凹部６２と、この円形凹部６２に収納されたダンパーディスク６４と、このダンパーディスク６４を閉じ込めるように円形凹部６２を閉じるダンパーキャップ６６と、円形凹部６２とダンパーキャップ６６とで囲まれたダンパー空間内に収納されたダンパー液体（図示せず）とから成っている。ダンパーディスク６４は、図８（Ａ）及び図８（Ｄ）に示すように、その上下の面に放射方向に形成された多数の液体溝６４Ｇを有し、ダンパー液は、これらの液体溝６４Ｇに入り込んでダンパーディスク６４が回転するのを制動する機能を有する。
【００４６】
従って、ダンパー６０は、アーム部材４０の一部をケースとして形成されており、できあがりのダンパーを組み込む場合よりも、枢動部５０を小径化することができることが解る。
【００４７】
この場合、枢動部５０の軸５０Ｘは、ダンパーディスク６４からディスクキャップ６６を貫通して延びる軸部６４Ａと円形凹部６２の底部から延びる軸部６２Ａとから構成されている。なお、図６において、符号６８は、ダンパーディスク６４の軸部６４Ａとディスクキャップ６６との間に嵌め込まれたＯ−リングである。
【００４８】
弾発手段９０は、図９に示すように、巻きばね９２から成っており、この巻きばね９２の一方の円形端部９２ａは、取付けブラケット１２のばね止めピン３２に掛け止めされ、他方の円形端部９２ｂは、アーム部材４０のばね止めピン４９に掛け止めされている。
【００４９】
この弾発手段９０は、通常では、アーム部材４０を可動物体閉位置（図１０参照）か可動物体開位置（図１２参照）かに付勢し、アーム部材４０をこの閉位置から開位置へ、又は開位置から閉位置へ移動する際に両方の円形端部９２ａ、９２ｂが相互に接近するように圧縮されながらその中立位置（図１１参照）から僅かでも開方向（図１１の反時計方向）又は閉方向（図１１の時計方向）に変位すると、アーム部材４０を開位置又は閉位置に自動的に移動するように付勢する機能を有する。
【００５０】
既に述べたように、第１及び第２のストッパ手段７０、８０は、この弾発手段９０によってアーム部材４０が閉位置（図１０の位置）又は開位置（図１２の位置）を僅かに越えた位置（内側停止位置又は外側停止位置）を越えて過度に変位するのを防止する機能を有する。
【００５１】
本発明のダンパー付きヒンジ１０は、図６及び図７に示すように、アーム部材４０の円形凹部６２にダンパー液体と共にダンパーディスク６６を収納し、Ｏ−リング６８を介してダンパーキャップ６６を被せて固定し、弾発手段９０の巻きばね９２を取付けブラケット２０とアーム部材４０のばね止めピン３２と４９との間に掛け渡しながら、ダンパー６０と共にアーム部材４０を取付けブラケット２０の上下の板片２２Ｕ、２２Ｌを拡げてこれらの板片２２Ｕ、２２Ｌの間に挿入し、ダンパー６０の軸部６４Ａ、６２Ａを取付けブラケット２０の上下の軸孔２６ＵＨ、２６ＬＨに係入して組立てられる。この組立に際しては、軸部６４Ａ、６２Ａが取付けブラケット２０の軸案内溝２８ＵＧ、２８ＬＧに沿って案内されながらアーム部材４０が取付けブラケット２０内に挿入される。アーム部材４０とダンパー６０が取付けブラケット２０の所定位置に達すると、取付けブラケット２０の上下の板片２２Ｕ、２２Ｌが自動的に広がりを戻して組立が完了する。
【００５２】
この組立方法であると、アーム部材４０にダンパー６０が組み込まれる作業とアーム部材４０とダンパー６０とを取付けブラケット２０に組み付ける作業とが同時に行われることが解る。また、この組立状態で第１及び第２のストッパ手段７０、８０によってアーム部材４０が取付けブラケット２０に対して過度に閉位置又は開位置となることがなく、両者の結合状態を破損することがない上に、ダンパー付きヒンジ１０の保管、管理が容易となる。
【００５３】
本発明のダンパー付きヒンジ１０は、図２乃至図４に示すように、取付けブラケット２０をその取付けフランジ２４ＵＦ、２４ＬＦでコンピュータ本体（固定物体）１の端壁１Ｗの内側にねじ止めして固定し、アーム部材４０の切欠孔４６Ｈに扉（可動物体）２の位置決めピン２Ｐを係入してこの扉２の取付け突出部２Ｓをアーム部材４０の可動物体取付け壁４４Ｅに重合し、止めねじ１００によって可動物体取付け壁４４Ｅに固定することによって扉（可動物体）２をコンピュータ本体（固定物体）１に取付けることができる。
【００５４】
このようにして扉（可動物体）２が取付けられたコンピュータ本体１のインターフェース部は、扉２によって開いたり閉じたりすることができ、この扉２の開閉は、弾発手段９０の巻きばね９２に抗して行われるが、その中立位置（図１１の位置）を僅かでも越えると、弾発手段９０の巻きばね９２によって、扉２は、開方向（図１１の反時計方向）又は閉方向（図１１の時計方向）に自動的に移動する。この際、ダンパー６０が扉２の急激な移動を抑制するので、扉２は、緩慢に移動して扉２を開いたり閉じたりし、扉２の開閉時の衝撃を緩和することができる。
【００５５】
既に述べたように、第１及び第２のストッパ手段７０、８０は、ダンパー付きヒンジ１０が取付けられる前には、扉２の完全閉位置（図１０の位置）又は完全開位置（図１２の位置）を僅かに越えた位置（図９の位置及び図１２の位置よりも僅かに時計方向に変位した位置）でアーム部材４０を停止しているので、このダンパー付きヒンジ１０を用いて扉（可動物体）２をコンピュータ本体（固定物体）１に取付けた状態では第１及び第２のストッパ手段７０、８０が働くことがなく、扉（可動物体）２をコンピュータ本体（固定物体）１に完全に閉じた位置又は完全に開いた位置まで開閉することができる。
【産業上の利用可能性】
【００５６】
本発明は、取付けブラケットにアーム部材の枢動部の軸とダンパーとを収納してアーム部材とダンパーとをワンタッチで取付けラケットに取付けることができ、組立が容易であるので、安価なダンパー付きヒンジを提供して産業上の利用性を向上することができる。
【図面の簡単な説明】
【００５７】
【図１】本発明のダンパー付きヒンジをコンピュータ本体のインターフェース部の開閉に使用した例を示し、同図（Ａ）は、扉が閉じた状態の斜視図、同図（Ｂ）は、扉が開いた状態の斜視図である。
【図２】図１の使用例で扉が閉じた状態を上面から見て説明する上面説明図である。
【図３】図１の使用例で扉が半開きの状態を上面から見て説明する上面説明図である。
【図４】図１の使用例で扉が開いた状態を上面から見て説明する上面説明図である。
【図５】本発明の１つの実施形態によるダンパー付きヒンジ（但し弾発手段を省略）を示し、同図（Ａ）は、扉閉じ状態の位置にあるダンパー付きヒンジの斜視図、同図（Ｂ）は、扉開き状態の位置にあるダンパー付きヒンジの斜視図である。
【図６】図５のダンパー付きヒンジの枢動部の拡大垂直断面図である。
【図７】図５のダンパー付きヒンジの分解斜視図である。
【図８】図５のダンパー付きヒンジに用いられるダンパーディスクを示し、同図（Ａ）は、その上面図、同図（Ｂ）は、その側面図、同図（Ｃ）は、同図（Ａ）のＣ−Ｃ線断面図、同図（Ｄ）は、その下面図である。
【図９】図５のダンパー付きヒンジの取付けブラケットの上方板片を省略してアーム部材が内側停止位置にある状態を示す説明図である。
【図１０】図９と同じであるが、アーム部材が扉完全閉じ状態に相応する状態にあるのを示す説明図である。
【図１１】図９と同じであるが、アーム部材が扉半開き状態（開閉の中立状態）に相応する状態にあるのを示す説明図である。
【図１２】図９と同じであるが、アーム部材が扉完全開き状態に相応する状態にあるのを示す説明図である。
【符号の説明】
【００５８】
１  コンピュータ本体（固定物体）
１Ｗ  コンピュータ本体１の端壁
２  扉（可動物体）
２Ｐ  位置決めピン
２Ｓ  取付け突出部
１０  ダンパー付きヒンジ
２０  取付けブラケット
２２Ｕ、２２Ｌ  上下の板片
２２Ｃ  連結板片
２４ＵＦ、２４ＬＦ  上下の取付けフランジ
２６ＵＨ、２６ＬＨ  軸孔
２８ＵＧ、２８ＬＧ  軸案内溝
３０Ｌ  突板部
３２  ばね止めピン
４０  アーム部材
４２  略台形の基部
４２ＨＷ  水平壁部
４２ＶＷ  垂直壁部
４２ＶＷＥ  垂直壁部延長部分
４４  アーム
４４ＨＷ  水平壁部
４４ＶＨ  垂直壁部
４４ＶＷＥ  垂直壁部延長部分
４４Ｅ  可動物体取付け壁
４６Ｈ  切欠孔
４８  金属製のねじ筒
５０  アーム部材４０の枢動部
５０Ｘ  軸
６０  ダンパー
６２  アーム部材４０の円形凹部
６２Ａ  軸部
６４  ダンパーディスク
６４Ｇ  液体溝
６４Ａ  軸部
６６  ダンパーキャップ
６８  Ｏ−リング
７０  第１のストッパ手段
７２  基部４２の端壁の内側端面
７４  連結板片２２Ｃの切欠き面
８０  第２のストッパ手段
８２  アーム部材４０上の突出部
８４  取付けブラケット２０のストッパ面
９０  弾発手段
９２  巻きばね
９２ａ  巻きばね９２の一端
９２ｂ  巻きばね９２の他端
【図１】
2005188261.tif 000003
【図２】
2005188261.tif 000004
【図３】
2005188261.tif 000005
【図４】
2005188261.tif 000006
【図５】
2005188261.tif 000007
【図６】
2005188261.tif 000008
【図７】
2005188261.tif 000009
【図８】
2005188261.tif 000010
【図９】
2005188261.tif 000011
【図１０】
2005188261.tif 000012
【図１１】
2005188261.tif 000013
【図１２】
2005188261.tif 000014